(57)【要約】【課題】  より小さなフード部材でより大きな車両用表示器を覆わせ得るようにする。【解決手段】  フード部材５を、少なくとも上フード部材６と下フード部材７とに上下２分割し、上フード部材６と下フード部材７とをワンタッチ嵌合部１１を介して結合分離可能に構成すると共に、開口部３に対する上フード部材６と下フード部材７との取付方向１２，１３がそれぞれ異なるように構成するようにしている。【選択図】        図２
2006056278.tif 000002
【特許請求の範囲】
【請求項１】
インストルメントパネルに設けられた開口部の内側に車両用表示器を配置すると共に、前記開口部に車両用表示器の周囲を覆うフード部材を取付けた車両用表示器のフード構造において、
前記フード部材を、少なくとも上フード部材と下フード部材とに上下２分割し、
上フード部材と下フード部材とをワンタッチ嵌合部を介して結合分離可能に構成すると共に、
前記開口部に対する上フード部材と下フード部材との取付方向がそれぞれ異なるように構成したことを特徴とする車両用表示器のフード構造。
【請求項２】
前記ワンタッチ嵌合部が、上フード部材と下フード部材との組合部に設けられると共に、該組合部が、手前側へ進むに従い外側へ向かって拡がるよう傾斜形成されたことを特徴とする請求項１記載の車両用表示器のフード構造。
【請求項３】
前記ワンタッチ嵌合部が、上フード部材から側方へ向けて突設された爪部と、下フード部材に設けられた爪受部とを備え、
前記爪部は、先端が斜上向きに傾斜形成されていると共に、下面にアール加工が施されており、
前記爪受部が、上方へ進むに従い外側へ拡がるよう傾斜形成されたことを特徴とする請求項１または２記載の車両用表示器のフード構造。
【請求項４】
前記下フード部材が、側面に横規制用爪部を備えたことを特徴とする請求項１ないし３のいずれか１項に記載の車両用表示器のフード構造。
【発明の詳細な説明】
【技術分野】
【０００１】
この発明は、車両用表示器のフード構造に関するものである。
【背景技術】
【０００２】
自動車などの車両には、車室内の前部にインストルメントパネルが設けられている。このインストルメントパネルには、各種の車両用表示器が取付けられている。このような車両用表示器には、例えば、車載用テレビ或いはカーナビゲーションシステムなどのための画像表示用デバイス（例えば、液晶パネル）などがある。そして、このような車両用表示器には、インストルメントパネルに設けられた開口部の内側に配置される、いわゆる埋込式のものが存在する。この埋込式の車両用表示器と上記開口部との間には、通常、外光の影響を遮断するため、および、中見えを防止するためのフード部材が配置される（例えば、特許文献１参照）。
【０００３】
従来、図１３〜図１５に示すように、インストルメントパネル５２に形成した開口部５３に取付けるための取付フランジ部５４と、開口部５３の内側に配置された埋込式の車両用表示器５７の前方を覆う全周タイプのフード部５１とを一体成形したフード部材５５が知られている。この取付フランジ部５４には、インストルメントパネル５２に差込固定するためのワンタッチクリップなどの係止爪５６が適宜設けられている。なお、この係止爪５６は、全てが一方向へ向くように設定されている。
【特許文献１】特開平０８−９１０９６号公報
【発明の開示】
【発明が解決しようとする課題】
【０００４】
上記従来のフード部５１では、取付フランジ部５４に係止爪５６を設けて、インストルメントパネル５２の開口部５３に差込固定させるようにしていたが、取付フランジ部５４があると、その分、フード部５１を相対的に小さくせざるを得ないため、大きな車両用表示器５７を採用することが難しく、車両用表示器５７の大型化に向かっている現今の状況下では構造的に不利である。また、取付フランジ部５４があると、外観も良くなく、デザイン上の制限も生じる。更に、係止爪５６は全てが一方向へ向くよう設定されているが、このように一方向に着脱するようにした場合には、簡単に外れてしまうことのないように、脱着荷重を大きく設定する必要があるという問題もある。
【課題を解決するための手段】
【０００５】
上記課題を解決するために、請求項１に記載された発明では、インストルメントパネルに設けられた開口部の内側に車両用表示器を配置すると共に、前記開口部に車両用表示器の周囲を覆うフード部材を取付けた車両用表示器のフード構造において、前記フード部材を、少なくとも上フード部材と下フード部材とに上下２分割し、上フード部材と下フード部材とをワンタッチ嵌合部を介して結合分離可能に構成すると共に、前記開口部に対する上フード部材と下フード部材との取付方向がそれぞれ異なるように構成した車両用表示器のフード構造を特徴としている。
【０００６】
請求項２に記載された発明では、前記ワンタッチ嵌合部が、上フード部材と下フード部材との組合部に設けられると共に、該組合部が、手前側へ進むに従い外側へ向かって拡がるよう傾斜形成された請求項１記載の車両用表示器のフード構造を特徴としている。
【０００７】
請求項３に記載された発明では、前記ワンタッチ嵌合部が、上フード部材から側方へ向けて突設された爪部と、下フード部材に設けられた爪受部とを備え、前記爪部は、先端が斜上向きに傾斜形成されていると共に、下面にアール加工が施されており、前記爪受部が、上方へ進むに従い外側へ拡がるよう傾斜形成された請求項１または２記載の車両用表示器のフード構造を特徴としている。
【０００８】
請求項４に記載された発明では、前記下フード部材が、側面に横規制用爪部を備えた請求項１ないし３のいずれか１項に記載の車両用表示器のフード構造を特徴としている。
【発明の効果】
【０００９】
請求項１の発明によれば、フード部材が上フード部材と下フード部材のみで構成されているので、従来の取付フランジがなくなり、フード部材の小型化が可能となると共に、より小さなフード部材でより大きな車両用表示器を覆わせることができるようになる。また、取付フランジがないため、外観も向上し、デザイン上の制限も少なくすることができる。更に、開口部に対する上フード部材と下フード部材との取付方向がそれぞれ異なるように構成したことにより、複数方向からの着脱となるので、より外れにくい構造となり、その分、脱着荷重を小さくすることができる。
【００１０】
請求項２の発明によれば、上フード部材と下フード部材との組合部が、手前側へ進むに従い外側へ向かって拡がるよう傾斜形成されていることにより、ワンタッチ嵌合部を外して下フード部材から分離した状態の上フード部材を容易に手前へ引出すことができる。
【００１１】
請求項３の発明によれば、上フード部材から側方へ向けて突設されたワンタッチ嵌合部の爪部は、先端が斜上向きに傾斜形成されていると共に、下面にアール加工が施されていること、および、爪受部が、上方へ進むに従い外側へ拡がるよう傾斜形成されていることにより、ワンタッチ嵌合部の結合分離を容易且つ確実に行わせることができる。
【００１２】
請求項４の発明によれば、下フード部材の側面に設けた横規制用爪部により、フード部材の横方向の規制を行わせることができる。
【発明を実施するための最良の形態】
【００１３】
より小さなフード部材でより大きな車両用表示器を覆わせるなどの目的を、フード部材を、少なくとも上フード部材と下フード部材とに上下２分割し、上フード部材と下フード部材とをワンタッチ嵌合部を介して結合分離可能に構成すると共に、開口部に対する上フード部材と下フード部材との取付方向がそれぞれ異なるように構成する、という手段で実現した。
【実施例】
【００１４】
以下、本発明を具体化した実施例について、図示例と共に説明する。
【００１５】
図１〜図１２は、この発明の実施例を示すものである。
【００１６】
まず、構成を説明すると、自動車などの車両には、車室内の前部に、図１に示すようなインストルメントパネル１が設けられている。このインストルメントパネル１には、各種の車両用表示器２が取付けられている。このような車両用表示器２には、例えば、車載用テレビ或いはカーナビゲーションシステムなどのための画像表示用デバイス（例えば、液晶パネル、有機ＥＬパネルその他のものであっても良い）などがある。そして、これらの車両用表示器２には、インストルメントパネル１に設けられた開口部３の内側に配置される、いわゆる埋込式のものが存在する。この埋込式の車両用表示器２と上記開口部３との間には、フード部材５が配置される。
【００１７】
この実施例のものでは、図２〜図９に示すように、車両用表示器２前方の周囲を覆うフード部材５を、少なくとも上フード部材６と下フード部材７とに上下２分割する。ここで、上フード部材６は車両用表示器２前方の上部を覆い得る形状（例えば、平面視でほぼ短冊状、正面視で若干上方へ屈曲したほぼ一文字状）を呈しており、下フード部材７は車両用表示器２前方の下部および両側部を覆い得る形状（例えば、平面視で両端が屈曲したほぼ平板状、正面視でほぼ平たいＵ字状）を呈している。ここで、上フード部材６には、インストルメントパネル１の表面と面一になるように形状を調整する上フードアウタ部材８が取付けられる。上フードアウタ部材８は上フード部材６（上フードインナ部材）とほぼ同幅に設けられる。上フードアウタ部材８を上フード部材６と別体にすることにより、インストルメントパネル１とほぼ同一の表面性状に仕上げて統一感を持たせ、上フードアウタ部材８の存在を意識させないようにすることが可能となる。上フード部材６と上フードアウタ部材８とはスクリュウ止めなどにより一体に固定される。そのために、必要に応じてボスや位置決めピンなどの取付手段が設けられる。なお、上フード部材６と上フードアウタ部材８とは溶着などにより一体化しても良い。また、上フードアウタ部材８は、上フード部材６と一体成形することも可能である。
【００１８】
そして、上フード部材６と下フード部材７とを、後述するワンタッチ嵌合部１１を介して結合分離可能に構成する。
【００１９】
更に、インストルメントパネル１の開口部３に対する、上フード部材６の取付方向１２と下フード部材７の取付方向１３とがそれぞれ異なるように構成する。例えば、上フード部材６には、図３に示すように、ほぼ水平方向（この場合には前後方向奥側）へ向けて延びる係止爪１４を設定する。この係止爪１４は、例えば、上フード部材６後縁近傍の左右２箇所に設定される。加えて、上フードアウタ部材８には、図５〜図７に示すように、係止爪１４とほぼ同一方向へ延びる複数の係止部１５が設けられる。この係止部１５は、先端に係止用の切込形状を有している。一方、下フード部材７には、ほぼ上下方向など（この場合には下側）へ向けて延びる係止爪１６を設定する。この係止爪１６は、例えば、図４〜図７に示すように、下フード部材７の下面に所要の間隔を有して６箇所設定されている。そして、下方に存在する部品（例えば、ダクト１７）との干渉を避けるため、および、各部位の脱着荷重を最適化するために、外側の２箇所は横向き、中間の２箇所と内側の２箇所は縦向きとなっている。特に、中間の２箇所は他のものに比べて小型で奥側に配置されている。なお、係止爪１４、係止爪１６は、挿入によりワンタッチで係止固定されるワンタッチクリップとなっている。
【００２０】
上記ワンタッチ嵌合部１１は、上フード部材６と下フード部材７との組合部２１に設けられている。この組合部２１は、図８、図９に示すように、フード部材５の左右端部にそれぞれ１箇所ずつ形成されている。そして、上フード部材６と下フード部材７との左右端部は、組合部２１へ向けて幅が狭くなる漸縮形状を呈している。
【００２１】
そして、この組合部２１は、手前側へ進むに従い外側へ向かって拡がるよう傾斜形成されている（線イ参照）。
【００２２】
また、上記ワンタッチ嵌合部１１は、上フード部材６の組合部２１の合せ面２２から側方へ向けて突設された爪部２３と、下フード部材７の組合部２１の合せ面２４の近傍に設けられた爪受部２５とを備えている。爪受部２５は、ほぼ長方形状の穴部を備えており、爪部２３が穴部内で僅かに回動できる程度の遊びが形成されている。
【００２３】
そして、爪部２３は、先端が斜上向きに傾斜形成されている（線ロ参照）と共に、下面にアール加工が施されている。
【００２４】
また、左右の前記爪受部２５は、上方へ進むに従い外側へ拡がるよう傾斜形成されている（線ハ参照）。
【００２５】
更に、下フード部材７は、左右の側面に左右方向へ延びる横規制用爪部３１を備えている。
【００２６】
これに対し、インストルメントパネル１の開口部３は、図１０〜図１２に示すように、上縁部に上フードアウタ部材８を収容する上フードアウタ部材収容部３５を備え、下縁部に下フード部材７を収容する下フード部材収容部３６を備えている。下フード部材収容部３６の手前側には、下フード部材７と面一となる下フード延長部３７を有している。下フード部材収容部３６と下フード延長部３７とは、下フード部材７の厚み分の段差を有して連なっている。
【００２７】
そして、開口部３の上縁部近傍には、上フードアウタ部材８の係止部１５が係止されるリブ４１と、上フード部材６の係止爪１４を挿入する係止孔４２とが設定されている（なお、係止孔４２は車両用表示器２の上部に設けられているがこのようにしても良い）。また、開口部３の下フード部材収容部３６には、下フード部材７の係止爪１６を挿入する係止孔４３と、下フード部材７の横規制用爪部３１を受ける爪孔４４とが形成されている。
【００２８】
更に、開口部３の下フード部材収容部３６におけるワンタッチ嵌合部１１と対応する位置には、ワンタッチ嵌合部１１の分離用空間４５が形成されている。この分離用空間４５は、下フード部材収容部３６を切欠くなどして構成されている。
【００２９】
次に、この実施例の作用について説明する。
【００３０】
先ず、インストルメントパネル１の開口部３にフード部材５を取付ける場合には、以下のようにする。
【００３１】
まず、図３に示すように、上フード部材６と上フードアウタ部材８とを組合せてスクリュウ止めして一体化する。次に、上フードアウタ部材８が取付けられた上フード部材６と下フード部材７とを、左右の組合部２１で組合せ、ワンタッチ嵌合部１１でワンタッチ止めして、フード部材５を組立てる。この際、上フード部材６から側方へ向けて突設されたワンタッチ嵌合部１１の爪部２３は、先端が斜上向きに傾斜形成されていると共に、下面にアール加工が施されていること、および、爪受部２５が、上方へ進むに従い外側へ拡がるよう傾斜形成されたことにより、ワンタッチ嵌合部１１の結合を容易且つ確実に行わせることができる。
【００３２】
そして、一体に組立てたフード部材５をインストルメントパネル１の開口部３の近傍に配置し、上フード部材６を上フードアウタ部材収容部３５に対し前後方向奥側へ押込んで、係止部１５をリブ４１に嵌合係止させると共に、係止爪１４を係止孔４２に挿入固定させる。この状態では、下フード部材７は、ワンタッチ嵌合部１１に形成した遊びによって僅かに回転し多少撓んだ状態で下フード部材収容部３６から浮いている。
【００３３】
最後に、下フード部材７を下方へ回動させて係止爪１６を係止孔４３へ挿入固定させると共に、横規制用爪部３１を爪孔４４に着座させる。この操作は、下フード部材７を適宜撓めながら行う。以上により、開口部３にフード部材５が取付けられる。この際、下フード部材７の左右の側面に設けた横規制用爪部３１により、フード部材５の横方向の位置規制が行われる。
【００３４】
次に、インストルメントパネル１の開口部３からフード部材５を取外す場合には、以下のようにする。
【００３５】
先ず、下フード部材７の左右両端を片側から順に或いは両側同時に、図４に矢印ニで示すように、側方へ押し広げる。すると、ワンタッチ嵌合部１１の爪受部２５から爪部２３が外れる。この際、開口部３におけるワンタッチ嵌合部１１と対応する位置に分離用空間４５を設けることにより、ワンタッチ嵌合部１１を容易に分離させることができる。
【００３６】
この状態で、上フードアウタ部材８と上フード部材６とを前後方向手前側へ引張って、係止部１５をリブ４１から離脱させると共に、係止爪１４を係止孔４２から引き抜くことにより、上フードアウタ部材８と上フード部材６とを上フードアウタ部材収容部３５から取外す。この際、上フード部材６と下フード部材７との組合部２１が、手前側へ進むに従い外側へ向かって拡がるよう傾斜形成されていることにより、ワンタッチ嵌合部１１を外して下フード部材７から分離した状態の上フード部材６を容易に手前へ引出すことができる。
【００３７】
最後に、残された下フード部材７を上方へ引張って、係止爪１６を係止孔４３から引き抜くと共に、横規制用爪部３１を爪孔４４から引き離すことにより、下フード部材７を下フード部材収容部３６から取外す。
【００３８】
このように、この実施例によれば、フード部材５がほぼ上フード部材６と下フード部材７のみで構成されているので、従来の取付フランジがなくなり、フード部材５の小型化が可能となると共に、より小さなフード部材５でより大きな車両用表示器２を覆わせることができるようになる。また、取付フランジがないため、外観も向上し、デザイン上の制限も少なくすることができる。更に、開口部３に対する上フード部材６と下フード部材７との取付方向１２，１３がそれぞれ異なるように構成したことにより、複数方向からの着脱となるので、より外れにくい構造となり、その分、各部の脱着荷重を小さくすることができる。
【００３９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００４０】
【図１】本発明の実施例の全体斜視図である。
【図２】図１のフード部材の斜視図である。
【図３】図２の分解斜視図である。
【図４】図２の正面図である。
【図５】図４のＡ−Ａ線に沿った断面図である。
【図６】図４のＢ−Ｂ線に沿った断面図である。
【図７】図４のＣ−Ｃ線に沿った断面図である。
【図８】図４のフード部材の左端部の概略部分拡大正面図である。
【図９】図４のフード部材の左端部の概略部分拡大分解底面図である。
【図１０】フード部材を取外したインストルメントパネル１の平面図である。
【図１１】図１０の開口部の部分拡大図である。
【図１２】図１１の斜視図である。
【図１３】従来例の全体斜視図である。
【図１４】図１４のフード部材を背面側から見た斜視図である。
【図１５】図１４の背面図である。
【符号の説明】
【００４１】
１    インストルメントパネル
２    車両用表示器
３    開口部
５    フード部材
６    上フード部材
７    下フード部材
１１  ワンタッチ嵌合部
１２  取付方向
１３  取付方向
２１  組合部
２３  爪部
２５  爪受部
３１  横規制用爪部
【図１】
2006056278.tif 000003
【図２】
2006056278.tif 000004
【図３】
2006056278.tif 000005
【図４】
2006056278.tif 000006
【図５】
2006056278.tif 000007
【図６】
2006056278.tif 000008
【図７】
2006056278.tif 000009
【図８】
2006056278.tif 000010
【図９】
2006056278.tif 000011
【図１０】
2006056278.tif 000012
【図１１】
2006056278.tif 000013
【図１２】
2006056278.tif 000014
【図１３】
2006056278.tif 000015
【図１４】
2006056278.tif 000016
【図１５】
2006056278.tif 000017